(57)【要約】【課題】履口にスリットを設けて履き易くすると共に、タッチクローズ式ファスナーを用いた上当て片による甲部上面への接着によりスリットを確実に塞ぐようになされる靴であって、その上当て片の引き剥がしを容易に行え、デザイン的にも優れた靴の提供を課題とする。【解決手段】上当て片３０をタッチクローズ式ファスナーによって甲部５０上面に着脱自在に接着することで履口１０のスリット２０を塞ぎ、これによって足が抜けるのを防止するようにすると共に、上当て片３０を甲部５０上面から剥がすことで履口１０のスリット２０を露出させて足の出し入れを容易にした靴であって、両端部４１、４１で上当て片３０の自由端側の両肩部３２ａ、３２ａにそれぞれ固定されると共に中央部に上当て片３０を引き剥すための持ち手４２を構成してなる引き剥がし用片４０を備えた。【選択図】　　　　図２
0003096860.tif 000002
【実用新案登録請求の範囲】
【請求項１】
履口に前方へ延長されたスリットを設けると共に、該スリット前方の甲部に一部が固定され且つタッチクローズ式ファスナーによって前記スリットを塞ぐように甲部上面に当接して接着される上当て片を設け、該上当て片を前記甲部上面から剥がすことで前記履口のスリットを露出させて足の出し入れを容易にすると共に、上当て片を甲部上面に接着することで前記スリットを塞いで足が抜けるのを防止するようにした靴であって、
両端部で前記上当て片の自由端側の両肩部にそれぞれ固定されると共に中央部に前記上当て片を引き剥すための持ち手を構成してなる引き剥がし用片を備えたことを特徴とする靴。
【請求項２】
引き剥がし用片は帯状とし、その両端部で上当て片の自由端側の両肩部に固定されると共に、中央部の持ち手が指を引掛けるためのリングに構成されていることを特徴とする請求項１に記載の靴。
【請求項３】
引き剥がし用片は紐とし、その両端部で上当て片の自由端側の両肩部に固定されると共に、中央部の持ち手が指を引掛けるためのリングに構成されていることを特徴とする請求項１に記載の靴。
【考案の詳細な説明】
【０００１】
【考案の属する技術分野】
本考案は老人、身障者、小児等にとって履き易く、脱ぎ易い、また履かせ易く、脱がせ易い靴に関する。
【０００２】
【従来の技術】
従来、老人、身障者、小児にとって履くのが容易で、また脱ぎ易く、また介護者にとって履かせ易く、また脱がせ易い靴に関して、例えば図５に示すような靴がある。この靴は、靴の履口１に延長してスリット２が設けられており、且つ前記スリット２を塞ぐように甲部５上面に当接することができる上当て片３を有するものである。上当て片３は前記スリット２の前方で靴の甲部５に固定されており、それ以外の部分では靴の甲部５からフリーとなっている。
また前記上当て片３の裏面は、前記スリット２に対応する部分を除いて、タッチクローズ式ファスナーの一方の起毛部が設けられ、対して靴甲部の表面には少なくとも前記スリット２の周辺にタッチクローズ式ファスナーの他方の起毛部が設けられている。
靴を履くときは、前記上当て片３を甲部５上面とのタッチクローズ式ファスナーによる接着から引き剥がし、スリット２を露出させた状態として、足を入れることで簡単に履くことができる。また靴を脱ぐときも、同様にスリット２が開いた状態で足を簡単に脱出させることができる。
靴を履いた後は、上当て片３を甲部５上面に当接して前記タッチクローズ式ファスナーで接着することで、前記スリット２を塞げば、足が靴から脱げないようにすることができる。
【０００３】
【考案が解決しようとする課題】
ところが上記従来の靴において、靴を脱ぐに際には、上記タッチクローズ式ファスナーによる接着があまり強固でない方が上当て片３を引き剥がすのが容易であるので、老人等にとって便利である。が、タッチクローズ式ファスナーによる接着をゆるくすると、靴を履いて歩いているとき等に上当て片３が剥がれてしまう問題がある。このためタッチクローズ式ファスナーによる接着自体はしっかりとされたものが、歩行上好ましかった。
一方、タッチクローズ式ファスナーによって上当て片３をしっかりと甲部５に接着するようにすると、老人等にとって上当て片３を甲部から引き剥がす際に、なかなか容易にできないという問題があった。
特に、従来における上当て片３の甲部５からの引き剥がし作業は、前記甲部５に接着された上当て片３の自由端側の何れか一方の肩部３ａの端を直接指で摘んで引っ張ることで行っていたため、引き剥がしに指の力が必要である等、引き剥がしが簡単に行えない問題があった。
また図５に２点鎖線で示すような持ち手４を上当て片３の一方の肩部３ａに設けたものも存在するが、上当て片３の一方の肩部３ａだけに取り付けた持ち手４を利用した上当て片３の引き剥がしには、やはりそれなりの力が必要となり、引き剥がしが簡単に行えない問題があった。また一方の肩部３ａだけに持ち手４を設けた靴は、いかにも持ち手を設けているという印象があり、靴の装飾或いはデザイン的にも好まれない問題があった。
【０００４】
そこで本考案は上記従来の問題を解消し、履口にスリットを設けて履き易くすると共に、タッチクローズ式ファスナーを用いた上当て片によって前記スリットを塞ぐようにした靴において、タッチクローズ式ファスナーによる接着が十分確実になされるものであって、且つその上当て片の引き剥がしを容易に行え、デザイン的にも優れた靴の提供を課題とする。
【０００５】
【課題を解決するための手段】
上記課題を達成するため、本考案の靴は、履口に前方へ延長されたスリットを設けると共に、該スリット前方の甲部に一部が固定され且つタッチクローズ式ファスナーによって前記スリットを塞ぐように甲部上面に当接して接着される上当て片を設け、該上当て片を前記甲部上面から剥がすことで前記履口のスリットを露出させて足の出し入れを容易にすると共に、上当て片を甲部上面に接着することで前記スリットを塞いで足が抜けるのを防止するようにした靴であって、両端部で前記上当て片の自由端側の両肩部にそれぞれ固定されると共に中央部に前記上当て片を引き剥すための持ち手を構成してなる引き剥がし用片を備えたことを第１の特徴としている。
また本考案の靴は、上記第１の特徴に加えて、引き剥がし用片は帯状とし、その両端部で上当て片の自由端側の両肩部に固定されると共に、中央部の持ち手が指を引掛けるためのリングに構成されていることを第２の特徴としている。
また本考案の靴は、上記第１の特徴に加えて、引き剥がし用片は紐とし、その両端部で上当て片の自由端側の両肩部に固定されると共に、中央部の持ち手が指を引掛けるためのリングに構成されていることを第３の特徴としている。
【０００６】
【考案の実施の形態】
以下の図面を参照しながら、本考案の実施形態を更に詳細に説明する。
図１〜図３は本考案の靴の第１の実施形態を示し、図１は斜視図、図２は平面図、図３は上当て片を上方へ引き剥がした状態を示す斜視図である。また図４は本考案の第２の実施形態を示す斜視図である。
【０００７】
先ず図１〜図３を参照して、本考案の靴の第１の実施形態を説明する。
１０は靴の履口で、該履口１０の先端部から前方へ延長されたスリット２０が設けられている。
３０は上当て片で、該上当て片３０は、破線Ａを境として、その前方部分３１で前記スリット２０の前方の甲部５０に固定され、一体とされている。その一方、前記破線Ａより後の部分は舌部３２として甲部５０に対してフリーとされている。
４０は引き剥がし用片で、前記上当て片３０に取り付けられている。
【０００８】
前記スリット２０は、履口１０の先端部から甲部５０の中央部を靴先に至る途中位置まで延設されている。靴の履口１０にスリット２０を設けることで、靴を履いたり脱いだりする際の足の出し入れが容易になる。
【０００９】
前記上当て片３０は、前記スリット２０を上から塞ぐもので、スリット２０を中心としたその両側の甲部５０上面の適当な一定領域に上から着脱自在に当接して接着する。この接着はタッチクローズ式ファスナー６０により着脱自在に行う。
上当て片３０は、該上当て片３０が靴の装飾片としての機能も果すことから、種々の形状、模様、色にデザインすることができる。
前記タッチクローズ式ファスナー６０は、例えばその雄型起毛部６１を前記上当て片３０の舌部３２の裏面に設け、雌型起毛部６２を前記雄型起毛部６１に対応した甲部５０表面に設けることで構成する。雄型起毛部６１は舌部３１の裏面のうち、前記スリット２０に対応する部分を除いた領域に設けることができる。
【００１０】
前記引き剥がし用片４０は、本実施例では帯状とし、その両端部４１、４１で前記上当て片３０の自由端側の両肩部３２ａ、３２ａに対して固定される。引き剥がし用片４０の前記両端部４１、４１以外の部分は上当て片３０に対してフリーとしてある。
また帯状の引き剥がし用片４０の中央部には、持ち手として、指を引掛けるためのリング４２を構成している。
このリング４２に、例えば人差し指等を引掛けて引っ張れば、上当て片３０をタッチクローズ式ファスナー６０による接着に抗して容易にその両肩部３２ａ、３２ａから引き剥がすことができる。勿論、リング４２に指を引掛けなくとも、引き剥がし用片４０の固定された両端部４１、４１間のフリーな中央部そのものを持ち手として、該中央部に手を掛けて上方に引っ張ることで、上当て片３０をその両肩部３２ａ、３２ａから容易に剥がすことができる。
引き剥がし用片４０は上記のように帯状とすることができるが、靴の装飾片としての機能を果すものとして、種々の形状、模様、色にデザインすることができる。
以上のようにして、引き剥がし用片４０はその両端部４１、４１で上当て片３０の自由端側の両肩部３２ａ、３２ａに固定し、中央部を持ち手とすることで、十分に持ち手を掴み或いは指等を引掛けることができ、よって十分な力を引き剥がし用片４０に加えて引っ張ることができる。しかも引き剥がし用片４０の両端部４１、４１が上当て片３０の両肩部３２ａ、３２ａに取り付けられていることにより、上当て片３０をその両方の肩部３２ａ、３２ａから一気に且つ容易に捲り上げて引き剥がすことができる。
本考案の場合は、図５に示す上当て片３の片側の肩部３ａにのみ持ち手４を設けた従来のものに比べて、掴み易く且つ力を加え易いため、格段に容易に上当て片３０の引き剥がしを行うことができる。
【００１１】
図４を参照して、本考案の靴の第２の実施形態を説明する。本実施形態の靴も、基本的には上記第１の実施形態のものと同様である。第１の実施形態の靴の場合と同じ機能を果す部材、部分には同一の符号を付した。即ち、履口１０に前方へ延長されたスリット２０を設け、上当て片３０をその前方部分３１で靴の甲部５０に一体に固定し、破線Ａを境にしてフリーな状態の舌部３２の裏面には、前記スリット２０に対応する部分を除いた領域にタッチクローズ式ファスナー６０の雄型起毛部６１を設け、甲部５０の上面には少なくとも前記雄型起毛部６１に対応した部分に雌型起毛部６２を設けている。
【００１２】
本第２の実施形態では、引き剥がし用片４０を紐としている。更に実際には２本の紐として、その両端部４１、４１で前記上当て片３０の自由端側の両肩部３２ａ、３２ａに固定している。また紐の中央部には、持ち手として、プラスチック、金属製或いは革製等のリング４２が紐に通されて構成されている。
前記持ち手としてのリング４２に人差し指等を引掛け或いはリング４２を掴んで、引っ張ることにより、上当て片３０をその自由端の両肩部３２ａ、３２ａから容易に捲り上げて、甲部５０表面から引き剥がすことができる。
前記引き剥がし用片４０としての紐は、靴の装飾の１つとしての機能を兼用するものであり、上当て片３０の両肩部３２ａ、３２ａを同時的に引っ張ることができるものであれば、紐の数は１本でも数本でもよい。
また前記リング４２は指で引掛け或いは掴むための機能を果す限りにおいて、その具体的形状は限定されない。
その他、引き剥がし用片４０は装飾としての機能を果すものであり、前記上当て片３０の両肩部３２ａ、３２ａを同時的に引っ張るという機能を果す限りにおいて、紐や帯状はもとより、その他の類似形状のものが可能である。
同様に、持ち手のリング４２も必ずしもリングである必要はない。手の人差し指等の指を確実に引掛けたり、手で確実に掴んで、容易に力を加えることができるものであれば、種々のデザインのものを用いることができる。
【００１３】
【考案の効果】
本考案は以上の構成、作用よりなり、請求項１に記載の靴によれば、履口に前方へ延長されたスリットを設けると共に、該スリット前方の甲部に一部が固定され且つタッチクローズ式ファスナーによって前記スリットを塞ぐように甲部上面に当接して接着される上当て片を設け、該上当て片を前記甲部上面から剥がすことで前記履口のスリットを露出させて足の出し入れを容易にすると共に、上当て片を甲部上面に接着することで前記スリットを塞いで足が抜けるのを防止するようにした靴であって、両端部で前記上当て片の自由端側の両肩部にそれぞれ固定されると共に中央部に前記上当て片を引き剥すための持ち手を構成してなる引き剥がし用片を備えたので、
履口にスリットを設けて履き易くした靴において、前記スリットを塞ぐ上当て片の甲部上面からの引き剥がし作業を容易に行うことが可能となり、よってタッチクローズ式ファスナーによる接着をより確実なものとして良好な歩行を確保すると共に、靴を履いたり脱いだりするのも容易とした靴の提供が可能となった。
勿論、本考案の場合は、引き剥がし用片はその両端部で上当て片の両肩部に固定されるように、対称的に履口付近の上面に配置されることになるので、靴の装飾片としての機能を十分に果すことができ、購買力を喚起することも可能となる。
また請求項２に記載の靴によれば、上記請求項１に記載の構成による効果に加えて、引き剥がし用片は帯状とし、その両端部で上当て片の自由端側の両肩部に固定されると共に、中央部の持ち手が指を引掛けるためのリングに構成されているので、
帯状の引き剥がし用片の中央部のリングに指を掛けて引張り上げることで、容易に上当て片を引き剥がしてスリットを露出させることができる。また帯状の引き剥がし用片の中央部を持って引っ張ることで、容易に上当て片を引き剥がしてスリットを露出させることができる。
履口付近の甲部の上面に帯とリングからなる引き剥がし用片が設けられることで、アクセントのある靴の装飾をもたらすことができる。
また請求項３に記載の靴によれば、上記請求項１に記載の構成による効果に加えて、引き剥がし用片は紐とし、その両端部で上当て片の自由端側の両肩部に固定されると共に、中央部の持ち手が指を引掛けるためのリングに構成されているので、
紐からなる引き剥がし用片の中央部のリングに指を掛けて引っ張り上げることで、容易に上当て片を引き剥がしてスリットを露出させることができる。
履口付近の甲部の上面に紐とリングからなる引き剥がし用片が設けられることで、アクセントのある靴の装飾をもたらすことができる。
【図面の簡単な説明】
【図１】本考案の靴の第１の実施形態を示す斜視図である。
【図２】本考案の靴の第１の実施形態を示す平面図である。
【図３】本考案の靴の第１の実施形態において、上当て片を上方へ引き剥がした状態を示す斜視図である。
【図４】本考案の靴の第２の実施形態を示す斜視図である。
【図５】従来の靴を示す斜視図である。
【符号の説明】
１０　　履口
２０　　スリット
３０　　上当て片
３１　　前方部分
３２　　舌部
３２ａ　肩部
４０　　引き剥がし用片
４１　　端部
４２　　リング
５０　　甲部
６０　　タッチクローズ式ファスナー
６１　　雄型起毛部
６２　　雌型起毛部
Ａ　　　破線
【図１】
0003096860.tif 000003
【図２】
0003096860.tif 000004
【図３】
0003096860.tif 000005
【図４】
0003096860.tif 000006
【図５】
0003096860.tif 000007